(57)【要約】      （修正有）【課題】洗濯前に、保護具をスライドファスナーの引手に嵌挿して、ドラム内で衝撃を受けないようにし、引手の洗濯時の損傷を防止する。【解決手段】スライドファスナー１用の引手２に弾性的に外嵌保持されて該引手を保護する保護具１０であって、弾性材により形成され、入口開口１１から内部に連続する引手挿入孔１２が形成されている。挿入孔は貫通孔であっても有底孔であってもよく、入口開口１１は挿入孔１２よりも狭く形成されている。【選択図】図１
0003119730.tif 000002
【実用新案登録請求の範囲】
【請求項１】
スライドファスナー用の引手に弾性的に外嵌保持されて該引手を保護する保護具であって、
弾性材により形成され、入口開口から内部に連続する引手挿入孔が形成されていることを特徴とするスライドファスナー用引手の保護具。
【請求項２】
前記開口の開口面積は前記挿入孔の断面積よりも小さく形成されていることを特徴とする請求項１記載のスライドファスナー用引手の保護具。
【請求項３】
前記挿入孔は、有底孔であることを特徴とする請求項１又は２記載のスライドファスナー用引手の保護具。
【請求項４】
前記挿入孔は、保護具の内部に貫通して形成され、該挿入孔の断面積は、その両端開口の開口面積よりも大きく形成されているとともに、一端開口の開口面積よりも他端開口の開口面積の方が大きく形成されていることを特徴とする請求項１又は２記載のスライドファスナー用引手の保護具。
【請求項５】
保護具は、その内部に前記開口を有する前記挿入孔が十字状に交差して形成されていることを特徴とする請求項１、２、又は４のいずれか１項記載のスライドファスナー用引手の保護具。
【請求項６】
スライドファスナー用の引手に弾性的に外嵌保持されて該引手を保護する保護具であって、
透明若しくは着色透明など内部が透視可能なシリコンゴムにより形成され、外形が筒型、肉厚の円盤状若しくは楕円盤状とされ、内部には引手挿入孔が形成され、該挿入孔の断面積は、その開口の開口面積よりも大きく形成されていることを特徴とするスライドファスナー用引手の保護具。
【考案の詳細な説明】
【技術分野】
【０００１】
本考案は、衣服、特にブランドものなど高級品の衣服に取り付けられるスライドファスナー用引手の、洗濯時の保護具に関するものである。
【背景技術】
【０００２】
上記のようなスライドファスナー付きの衣服を、家庭又はクリーニング店で洗濯する時には、洗濯機や乾燥機のドラム内で回転させるが、その時に、スライドファスナー用引手が欠けたり折れたりして損傷することがある。
特に高級品用のスライドファスナー用引手は、重量感を出すためにダイキャスト製のものが多く、引手にブランド名を入れ、断面角形などの短棒状とされており、欠けやすい形状となっている。そのため、洗濯後に、上記ドラム内での衝撃による損傷が発見され、消費者、ウエアー販売店、クリーニング店間でのトラブルがしばしば生じている。引手として高級間を出すために水牛等の角等天然の素材を用いることもあり、この場合にも同様の課題がある。
【考案の開示】
【考案が解決しようとする課題】
【０００３】
本考案は以上の課題を解決するものであり、その目的とするところは、洗濯前に、本考案に係る保護具をスライドファスナーの引手に嵌挿して、ドラム内で衝撃を受けないようにし、引手の洗濯時の損傷を防止するようにしたものである。
【課題を解決するための手段】
【０００４】
上記の課題を解決するために、請求項１の考案は、スライドファスナー１用の引手２に弾性的に外嵌保持されて該引手を保護する保護具１０であって、弾性材により形成され、入口開口１１から内部に連続する引手挿入孔１２が形成されていることを特徴としている。
引手２を保護具１０の開口１１から挿入孔１２内に挿入して、引手２に保護具１０を外嵌保持させることにより、洗濯時において引手２は衝撃から保護されることになる。
【０００５】
請求項２では、上記開口１１の開口面積は上記挿入孔１２の断面積よりも小さく形成されていることを特徴とする。
引手２を保護具１１内に挿入した時に、引手２の前端部が小径の開口１１に挟持され、洗濯時などに、引手２から保護具１０が脱落するということがない。
【０００６】
請求項３では、上記挿入孔１２は、有底孔とされている。
これにより、引手が洗濯時に洗剤に接触することが防止され、引手に洗剤に基づく錆などが生じることがない。
【０００７】
請求項４では、上記挿入孔１２は、保護具１０の内部に貫通して形成され、該挿入孔１２の断面積は、その両端開口の開口面積よりも大きく形成されているとともに、一端開口１１ａの開口面積よりも他端開口１１ｂの開口面積の方が大きく形成されていることを特徴とする。
これにより、引手２が小径の場合には小径の一端開口１１ａから挿入して保護具１０により保護し、引手２が大径の場合には大径の他端開口１１ｂから挿入して保護具１０により保護することができ、一種類の保護具１０により、径の異なる多種類の引手２を保護することができる。
【０００８】
請求項５では、保護具１０は、その内部に前記開口を有する前記挿入孔１２が十字状に交差して形成されていることを特徴とする。
これにより、開口又は挿入孔の径に応じた、多種類の径の引手に、保護具１０を嵌挿して適応できる。
【０００９】
請求項６では、保護具１０は、透明若しくは着色透明など内部が透視し得るシリコンゴムにより形成され、外形が筒型、肉厚の円盤状若しくは楕円盤状とされ、内部には引手挿入孔１２が形成され、該挿入孔１２の断面積は、その開口１１の開口面積よりも大きく形成されていることを特徴とする。
【００１０】
上記引手挿入孔１２は、一端が閉鎖された有底孔とされていても良い。また、引手挿入孔１２は、貫通孔であってもよく、貫通孔の場合には、その一端開口の開口面積よりも他端開口の開口面積の方が大きく形成されていることが望ましい。
【００１１】
保護具１０をシリコンゴムにより形成することにより、耐熱性、耐薬品性、柔軟性に優れ、継続して使用することができる。透明、着色透明、半透明のような内部が透視し得る材質であることにより、引手２の挿入状態が目視で確認できる。
【考案の効果】
【００１２】
従って、本考案によれば、引手２を保護具１０の開口１１から挿入孔１２内に挿入して、引手２に保護具１０を外嵌保持させることにより、洗濯時において引手２は衝撃から保護され、引手２が損傷などする事故を防止することができる。
【００１３】
請求項２の考案によれば、引手２を保護具１１内に挿入した時に、引手２の前端部が小径の開口１１に挟持され、洗濯時などに、引手２から保護具１０が脱落するということがない。
【００１４】
また、請求項３のように、挿入孔１２を有底孔とし、さらに、請求項２のように、開口１１の開口面積を挿入孔１２の断面積よりも小さく形成させることにより、引手が洗濯時に洗剤に接触することが防止され、高温からも保護されることから、引手に劣化や錆などが生じることが防止される。
【００１５】
請求項５のように挿入孔１２を十字状に交差して形成させることにより、開口又は挿入孔の径に応じた、多種類の径の引手に、保護具１０を嵌挿して適応できる。
【００１６】
請求項６では、保護具１０をシリコンゴムにより形成することにより、耐熱性、耐薬品性、柔軟性に優れ、継続して使用することができる。内部が透視し得ることにより、引手２の挿入状態が目視で確認できる。
【考案を実施するための最良の形態】
【００１７】
以下、本考案の最良の実施の形態につき、添付図面を用いて詳細に説明する。
図１及び図２は、本考案の第１の実施形態に係るスライドファスナー用引手の保護具を示す。図１は使用状態の正面図、図２は正面図（Ａ），平面図（Ｂ），縦断正面図（Ｃ），縦断側面図（Ｄ）である。
【００１８】
第１の実施形態に係るスライドファスナー用引手の保護具１０は、スライドファスナー１の引手２に弾性的に外嵌保持され、洗濯時において、引手が損傷したりしないように保護するものである。
【００１９】
保護具１０は、内部が透視し得る透明や着色（黒など）透明のシリコンゴムのような、耐熱性ゴム質の弾性材により形成され、外形が肉厚の円盤形とされている。保護具１０の内部には、引手挿入孔１２が直径方向に貫通して形成されている。挿入孔１２の断面積は、その両端開口１１の開口面積よりも大きく形成されているとともに、一端開口１１ａの開口面積よりも他端開口１１ｂの開口面積の方が大きく形成されている。開口１１の周囲壁面は、挿入孔１２の内壁から一体に突出する突縁１１ｃにより形成される。この実施例では、開口１１の左右及び上（又は下）の三方が突縁１１ｃにより形成され、下（又は上）の一方は挿入孔１２の内壁面により形成されている。
【００２０】
引手２は、例えば、ダイキャスト成形による短角棒状をなし、表面にはブランドが付されている。保護具１０の挿入孔１２は、内部に上記引手が嵌挿される形状及び長さであり、開口１１は引手２の断面よりもやや小さく形成されている。引手として、水牛の角などの天然素材を用いることもある。
【００２１】
上記の保護具１０は、洗濯時において、上記引手２に外挿して取り付けて使用する。
これにより、引手２を有する衣服をドラム内で回転させても、引手が損傷する事故が防止される。
【００２２】
保護具１０を円盤形若しくは楕円形とすることにより、ドラムへの当たりが緩やかになり、緩衝作用が向上する。また、保護具１０を内部が透視し得るシリコンゴムにより形成することにより、引手２の挿入状態が目視で確認でき、耐熱性、耐薬品性、柔軟性に優れ、継続して使用することができる。
【００２３】
保護具１０の各部の寸法を図面中にミリ単位で付記したが、この寸法及び形状は、保護すべき引手２の形状に応じて変更し得ることもちろんである。
【００２４】
図３（Ａ），（Ｂ）は、本考案に係る保護具の第２及び第３の実施形態の正面図である。
図３（Ａ）の第２の実施形態では、保護具１０の外観を肉厚の円盤形部とし、内部に略十字状に挿入孔直径方向に貫通して形成されている。
図３（Ｂ）の第３の実施形態では、保護具１０の外観を肉厚の角盤形部としている。
保護具１０の外観については、上記円盤形、楕円盤形、角盤形、多角盤形の他、有底筒型など、用途に応じて適当に変形して構成することができる。
【００２５】
図４は、本考案に係る第４の実施形態に係る保護具の正面図（Ａ）と平面図（Ｂ）である。
この実施態様では、保護具１０を有底筒型とし、内部に有底挿入孔１２を設け、挿入孔１２の一端を開口１１している。
【００２６】
上記第２、３又は４の実施形態において、上記第１の実施形態と共通する部分には共通の符号を付して、詳細な説明は省略した。
【図面の簡単な説明】
【００２７】
【図１】本考案の第１の実施形態に係る保護具の使用状態の正面図である。
【図２】同保護具の正面図（Ａ），平面図（Ｂ），縦断正面図（Ｃ），縦断側面図（Ｄ）である。
【図３】本考案の第２の実施形態（Ａ）及び第３の実施形態（Ｂ）に係る保護具の正面図である。
【図４】本考案の第４の実施形態に係る保護具の正面図（Ａ）及び側面図（Ｂ）である。
【符号の説明】
【００２８】
１  スライドファスナー
２  引手
１０  保護具
１１  開口、１１ａ  一端開口、１１ｂ  他端開口、１１ｃ  突縁
１２  挿入孔
【図１】
0003119730.tif 000003
【図２】
0003119730.tif 000004
【図３】
0003119730.tif 000005
【図４】
0003119730.tif 000006